(57)【要約】【課題】  基地局より上位のシステムにおいて、より伝送路効率の高い無線通信システムのリソース管理方法を提供する。【解決手段】  複数の無線端末装置から送られるデータをセル化して多重し、帯域制限された回線を介して基地局装置から無線ネットワーク制御装置に送出する際に無線端末装置のリソースを管理する。基地局装置が回線に対して所定の閾値を超えるセル流量が発生したことを検出するステップと、基地局装置が無線ネットワーク制御装置に検出した旨のイベント報告を送るステップと、無線ネットワーク制御装置がイベント報告に基づき所定の無線端末装置に対するリソースを変更する指示情報を基地局装置に送るステップと、基地局装置に送られた指示情報に基づき所定の無線端末装置に対するリソースを変更するステップを含む。【選択図】  図１
2005039650.tif 000002
【特許請求の範囲】
【請求項１】
複数の無線端末装置から送られるデータを多重化して帯域制限された回線を介して基地局装置から上位の装置に送出するに際し、前記回線に対して所定の帯域を超えるデータが送られる場合には前記基地局装置に接続されている所定の無線端末装置に対するリソースを変更することを特徴とするリソース管理方法。
【請求項２】
複数の無線端末装置から送られるデータをセル化して多重し、帯域制限された回線を介して基地局装置から無線ネットワーク制御装置に送出するに際し、
前記基地局装置が前記回線に対して所定の閾値を超えるセル流量の発生を検出するステップと、
前記基地局装置が前記無線ネットワーク制御装置に前記検出した旨のイベント報告を送るステップと、
前記無線ネットワーク制御装置が前記イベント報告に基づき所定の無線端末装置に対するリソースを変更する指示情報を前記基地局装置に送るステップと、
前記基地局装置が送られた前記指示情報を前記所定の無線端末装置に伝えるステップと、
前記所定の無線端末装置が前記指示情報に基づきリソースを変更するステップと、
を含むことを特徴とするリソース管理方法。
【請求項３】
複数の無線端末装置から送られるデータをセル化して多重し、帯域制限された回線を介して基地局装置から無線ネットワーク制御装置に送出するに際し、
前記基地局装置が前記回線に対して第１の閾値を上回るセル流量が発生したことを検出するステップと、
前記基地局装置が前記無線ネットワーク制御装置に前記検出した旨の第１のイベント報告を送るステップと、
前記無線ネットワーク制御装置が前記第１のイベント報告に基づき所定の無線端末装置に対するリソースを減少する指示情報を前記基地局装置に送るステップと、
前記基地局装置が送られた前記指示情報を前記所定の無線端末装置に伝えるステップと、
前記所定の無線端末装置が前記指示情報に基づきリソースを減少させるステップと、
前記基地局装置が前記回線に対して前記第１の閾値より小さな第２の閾値を下回るセル流量が発生したことを検出するステップと、
前記基地局装置が前記無線ネットワーク制御装置に前記検出した旨の第２のイベント報告を送るステップと、
前記無線ネットワーク制御装置が前記第２のイベント報告に基づき前記所定の無線端末装置に対するリソースを増加する指示情報を前記基地局装置に送るステップと、
前記基地局装置が送られた前記指示情報を前記所定の無線端末装置に伝えるステップと、
前記所定の無線端末装置が前記指示情報に基づきリソースを増加させるステップと、
を含むことを特徴とするリソース管理方法。
【請求項４】
前記無線ネットワーク制御装置が無線端末装置に対するリソースの情報を前記無線端末装置の属する基地局装置に対して送り、前記基地局装置は、前記リソースの情報に基づき前記無線端末装置に対してリソースを設定することを特徴とする請求項２または３記載のリソース管理方法。
【請求項５】
前記無線ネットワーク制御装置は、前記無線ネットワーク制御装置が管理する基地局に属する無線端末装置毎のリソースの情報を記憶しておくことを特徴とする請求項２または３記載のリソース管理方法。
【請求項６】
前記リソースを変更するにあたり、前記基地局に属し、最大のセル流量を発生している無線端末装置を前記所定の無線端末装置とすることを特徴とする請求項１〜３のいずれか一記載のリソース管理方法。
【請求項７】
前記回線は、ＡＴＭ回線であることを特徴とする請求項１〜３のいずれか一記載の移動通信システムにおけるリソース管理方法。
【請求項８】
前記セルは、固定長のデータにセルヘッダを付加したＡＴＭセルであることを特徴とする請求項２または３記載のリソース管理方法。
【請求項９】
無線端末装置における前記リソースの変更は、前記無線端末装置において発生するコード数あるいはシンボルレートの変更であることを特徴とする請求項１〜３のいずれか一記載のリソース管理方法。
【請求項１０】
基地局装置から送られる流量制御情報に基づき、送信するデータの流量を制御する無線端末装置と、
複数の前記無線端末装置から送信されるデータをセル化して多重し、帯域制限された回線を介して無線ネットワーク制御装置に送出すると共に、前記多重化されたデータの流量を測定し、前記流量が所定の条件を超えた場合には超えた旨の情報を前記無線ネットワーク制御装置に伝え、前記無線ネットワーク制御装置からの無線端末装置のリソース管理情報に従って前記無線端末装置に前記流量制御情報を伝える基地局装置と、
管理下にある基地局装置に属する各無線端末装置の送信データに関するリソースを管理し、前記超えた旨の情報が前記基地局から伝えられた場合に、所定の無線端末装置に対する前記流量制御情報を前記基地局に送る無線ネットワーク制御装置と、
を備えることを特徴とする移動通信システム。
【請求項１１】
（ａ）基地局装置から送られる流量制御情報に基づき、送信するデータの流量を制御する流量制御部を含む無線端末装置、
（ｂ）複数の前記無線端末装置とそれぞれデータの送受信を行なう無線送受信部と、
前記無線送受信部において受信されたデータをセル化して多重し、帯域制限された回線上のトランスポートチャネルを介して無線ネットワーク制御装置に送出するトランスポートチャネル組立部と、
前記多重化されたデータの流量を測定し、前記流量が所定の条件を超えた場合には超えた旨の情報を前記無線ネットワーク制御装置に伝え、前記無線ネットワーク制御装置からの無線端末装置の流量制御情報を、前記無線送受信部を介して前記無線端末装置に伝える流量処理部と、
を含む基地局装置、
（ｃ）管理下にある基地局装置に属する各無線端末装置の送信データに関するリソースを管理し、前記超えた旨の情報が前記基地局から伝えられた場合に、所定の無線端末装置に対する前記流量制御情報を前記基地局の流量処理部に送るリソース管理部と、
基地局装置のトランスポートチャネル組立部から送られるデータを受信するトランスポートチャネル受信部と、
を含む無線ネットワーク制御装置、
を備えることを特徴とする移動通信システム。
【請求項１２】
前記リソース管理部は、前記回線に対して所定の閾値を超えるセル流量が発生した旨のイベント報告に基づき、所定の無線端末装置に対するリソースを変更する指示情報を前記無線端末装置の接続されている基地局装置に送ることを特徴とする請求項１１記載の移動通信システム。
【請求項１３】
前記リソース管理部は、前記回線に対して第１の閾値を上回るセル流量が発生した旨のイベント報告に基づき、所定の無線端末装置に対するリソースを減少する指示情報を前記無線端末装置の接続されている基地局装置に送った後に、前記回線に対して第２の閾値を下回るセル流量が発生した場合には、発生した旨のイベント報告に基づき、所定の無線端末装置に対するリソースを増加する指示情報を前記無線端末装置の接続されている基地局装置に送ることを特徴とする請求項１１記載の移動通信システム。
【請求項１４】
前記リソース管理部は、前記無線ネットワーク制御装置が管理する基地局装置に接続され無線端末装置毎のリソースの情報を記憶しておくことを特徴とする請求項１１記載の移動通信システム。
【請求項１５】
前記所定の無線端末装置は、前記基地局に属し、最大のセル流量を発生している無線端末装置であること特徴とする請求項１０〜１３のいずれか一記載の移動通信システム。
【請求項１６】
前記回線は、ＡＴＭ回線であることを特徴とする請求項１０〜１３のいずれか一記載の移動通信システム。
【請求項１７】
前記セルは、固定長のデータにセルヘッダを付加したＡＴＭセルであることを特徴とする請求項１０〜１３のいずれか一記載の移動通信システム。
【請求項１８】
前記流量制御部は、前記無線端末装置において発生するコード数あるいはシンボルレートを変更することを特徴とする請求項１１記載の移動通信システム。
【請求項１９】
前記無線端末装置と前記基地局装置とは、Ｗ−ＣＤＭＡで接続されることを特徴とする請求項１０または１１記載の移動通信システム。
【発明の詳細な説明】
【技術分野】
【０００１】
本発明は、移動通信システムおよび移動通信システムにおけるリソース管理方法に係り、特に広帯域符号分割多元接続（Ｗ−ＣＤＭＡ、Ｗｉｄｅｂａｎｄ−Ｃｏｄｅ  Ｄｉｖｉｓｉｏｎ  Ｍｕｌｔｉｐｌｅ  Ａｃｃｅｓｓ）の移動通信システムにおける無線端末装置から基地局への上り方向に対するリソースの管理方法と移動通信システムに係る。
【背景技術】
【０００２】
従来のＣＤＭＡ方式を用いた移動通信システムでは、上り方向チャネルにおいて、多数の移動局がランダムに同一周波数帯を通じて、基地局と通信するようになっている。この場合に、最大レートアクセスの集中により、パケットの衝突する確率が増加し、トラフィックの輻輳状態が生じることがある。これを避けるために、例えば、特許文献１に示すように、可変レートパケットデータ伝送サービスを提供するＣＤＭＡ移動通信セルラシステムにおいて、ランダムアクセス上り方向チャネルの最大レートアクセスの集中によるパケットを低減するためのデータパケットマルチアクセス通信の技術が知られている。この技術の中で、基地局は、各移動局のおかれた電波伝搬状態や優先順位等を考慮した上で各移動局に対し、その時点での最大レートを決定して通知することが開示されている。
【０００３】
また、特許文献２では、基地局からのリバースリンクのローディングを示す信号に基づき、伝送データレートの割当てを実行する方法および装置が開示されている。加入者局は、伝送バッファの状態、電力の空き高、加入者局の候補の組の状態、によりレートを選択するように動作する。
【０００４】
さらに、関連する技術として、特許文献３では、無線電話機を用いたデータ通信システムの一つであるＰＨＳ（Ｐｅｒｓｏｎａｌ  Ｈａｎｄｙ−ｐｈｏｎｅ  Ｓｙｓｔｅｍ）において、ＰＨＳ端末からの多数の呼の発生等、何らかの理由により基地局の無線リソースが飽和状態になった場合に、サーバからＰＨＳ端末までの下りの経路を同一の伝送速度となるように伝送制御を行なう技術が開示されている。
【０００５】
【特許文献１】特開２０００−２１７１５９号公報（第１、２図）
【特許文献２】特表２００３−５１０９９１号公報（第１図）
【特許文献３】特開２０００−２７８３２５号公報（第２、３図）
【発明の開示】
【発明が解決しようとする課題】
【０００６】
しかしながら、従来の通信システムにおいては、特許文献１に示すように、基地局は、各移動局のおかれた電波伝搬状態や優先順位等を考慮した上で各移動局に対し、その時点での最大レートを決定して通知するように構成されている。一方で、基地局より上位のシステムにおいて帯域に応じて伝送コストが変わるようなシステム、例えば光インタフェースを用いたものなどが使われることも多い。したがって、基地局より上位のシステムにおいて、通信システムのリソースを管理することが求められる。すなわち、上位のシステムが各無線端末装置の発生するデータ量を監視して制御できるような構成が望まれる。しかしながら、上位のシステムにおけるリソースの管理技術は、開示されておらず、伝送路の利用効率のより優れたリソース管理を提供できないという問題がある。
【０００７】
本発明は、このような問題を解決するために基地局装置と無線ネットワーク制御装置が協調して端末のリソースを管理する移動通信システムのリソース管理方法を提供することを目的とする。
【課題を解決するための手段】
【０００８】
前記目的を達成するために、本発明に係るリソース管理方法は、第１の視点によれば、複数の無線端末装置から送られるデータを多重化して帯域制限された回線を介して基地局装置から上位の装置に送出する際に用いられる。回線に対して所定の帯域を超えるデータが送られる場合には前記基地局装置に接続されている所定の無線端末装置に対するリソースを変更する方法である。
【０００９】
また、本発明に係るリソース管理方法は、第２の視点によれば、複数の無線端末装置から送られるデータをセル化して多重し、帯域制限された回線を介して基地局装置から無線ネットワーク制御装置に送出する際に用いられる。基地局装置が回線に対して所定の閾値を超えるセル流量が発生したことを検出するステップを含む。また、基地局装置が無線ネットワーク制御装置に検出した旨のイベント報告を送るステップを含む。さらに、無線ネットワーク制御装置がイベント報告に基づき所定の無線端末装置に対するリソースを変更する指示情報を基地局装置に送るステップを含む。また、基地局装置が送られた指示情報を所定の無線端末装置に伝えるステップを含む。さらに、所定の無線端末装置が指示情報に基づきリソースを変更するステップを含む。
【００１０】
さらに、本発明に係るリソース管理方法は、第３の視点によれば、複数の無線端末装置から送られるデータをセル化して多重し、帯域制限された回線を介して基地局装置から無線ネットワーク制御装置に送出する際に用いられる。基地局装置が回線に対して第１の閾値を上回るセル流量が発生したことを検出するステップを含む。また、基地局装置が無線ネットワーク制御装置に検出した旨の第１のイベント報告を送るステップを含む。さらに、無線ネットワーク制御装置が第１のイベント報告に基づき所定の無線端末装置に対するリソースを減少する指示情報を基地局装置に送るステップを含む。また、基地局装置が送られた指示情報を所定の無線端末装置に伝えるステップを含む。さらに、所定の無線端末装置が指示情報に基づきリソースを減少させるステップを含む。またさらに、基地局装置が回線に対して第１の閾値より小さな第２の閾値を下回るセル流量が発生したことを検出するステップを含む。また、基地局装置が無線ネットワーク制御装置に検出した旨の第２のイベント報告を送るステップを含む。さらに、無線ネットワーク制御装置が第２のイベント報告に基づき所定の無線端末装置に対するリソースを増加する指示情報を基地局装置に送るステップを含む。また、基地局装置が送られた指示情報を所定の無線端末装置に伝えるステップを含む。さらに、所定の無線端末装置が指示情報に基づきリソースを増加させるステップを含む。
【００１１】
また、本発明に係る移動通信システムは、第４の視点によれば、基地局装置から送られる流量制御情報に基づき、送信するデータの流量を制御する無線端末装置を備える。また、複数の無線端末装置から送信されるデータをセル化して多重し、帯域制限された回線を介して無線ネットワーク制御装置に送出すると共に、多重化されたデータの流量を測定し、流量が所定の条件を超えた場合には超えた旨の情報を無線ネットワーク制御装置に伝え、無線ネットワーク制御装置からの無線端末装置のリソース管理情報に従って無線端末装置に流量制御情報を伝える基地局装置を備える。さらに、管理下にある基地局装置に属する各無線端末装置の送信データに関するリソースを管理し、超えた旨の情報が基地局から伝えられた場合に、所定の無線端末装置に対する流量制御情報を基地局に送る無線ネットワーク制御装置を備える。
【００１２】
さらに、本発明に係る移動通信システムは、第５の視点によれば、基地局装置から送られる流量制御情報に基づき、送信するデータの流量を制御する流量制御部を含む無線端末装置を備える。また、複数の無線端末装置とそれぞれデータの送受信を行なう無線送受信部と、無線送受信部において受信されたデータをセル化して多重し、帯域制限された回線上のトランスポートチャネルを介して無線ネットワーク制御装置に送出するトランスポートチャネル組立部と、多重化されたデータの流量を測定し、流量が所定の条件を超えた場合には超えた旨の情報を無線ネットワーク制御装置に伝え、無線ネットワーク制御装置からの無線端末装置の流量制御情報を、無線送受信部を介して無線端末装置に伝える流量処理部と、を含む基地局装置を備える。さらに、管理下にある基地局装置に属する各無線端末装置の送信データに関するリソースを管理し、超えた旨の情報が基地局から伝えられた場合に、所定の無線端末装置に対する流量制御情報を基地局の流量処理部に送るリソース管理部と、基地局装置のトランスポートチャネル組立部から送られるデータを受信するトランスポートチャネル受信部とを含む無線ネットワーク制御装置を備える。
【発明の効果】
【００１３】
本発明によれば、基地局装置と無線ネットワーク制御装置が協調して端末のリソースを管理するように動作する。したがって、ＡＴＭセル流量の総量が回線帯域限界値を超えることを防ぐことができ、伝送路の利用効率が高いリソース管理を提供することができる。
【発明を実施するための最良の形態】
【００１４】
以下、本発明の実施形態を添付図面に基づいて説明する。図１は、本発明の実施形態に係る移動通信システムを示すブロック図である。移動通信システムは、無線端末装置１５ａ、１５ｂ、…、１５ｎと、基地局装置１０ａ、１０ｂと、無線ネットワーク制御装置（ＲＮＣ）２０とから構成される。なお、図１では、基地局装置を２台であるとして図示しているが、これにこだわるものではない。また、上り（無線端末装置からの送信）データを主として説明し、下り（無線端末装置での受信）データについては説明を略す。以下、基地局装置１０ａと基地局装置１０ａに接続される無線端末装置１５ａ、１５ｂ、…、１５ｎとを含む構成について説明する。
【００１５】
無線端末装置１５ａは、送信データの流量を制御する流量制御部１４ａを備え、流量を制御された送信データが基地局装置１０ａに送信される。この流量制御部１４ａは、帯域制限により、無線端末装置１５ａが送信するデータ量を制御するものであって、例えば、Ｗ−ＣＤＭＡの場合のコード数、シンボルレートといった無線リソースを制御するものである。
【００１６】
基地局１０ａは、無線送受信部１１と、トランスポートチャネル組立部１２と、流量処理部１３とを含んでいる。基地局１０ａは、その管理下にある無線端末装置１５ａ、１５ｂ、…、１５ｎからの送信データを、無線送受信部１１で受信する。受信されたデータは、トランスポートチャネル組立部１２においてセル化され多重化される。多重化されたデータは、例えば、ＡＡＬ２（ＡＴＭ  Ａｄａｐｔａｔｉｏｎ  Ｌａｙｅｒ  ２）のデータとして回線上のトランスポートチャネルを介して無線ネットワーク制御装置２０に送られる。
【００１７】
一方、多重化されたデータの量（流量、例えば単位時間当りのセルの個数）がトランスポートチャネル組立部１２から流量処理部１３に伝えられる。流量処理部１３は、多重化されたデータの流量を測定し、流量の情報、特に所定の閾値を超えた場合の情報を無線ネットワーク制御装置２０に伝える。
【００１８】
無線ネットワーク制御装置２０は、トランスポートチャネル受信部２１と、リソース管理部２２とを含む。無線ネットワーク制御装置２０は、管理下にある基地局装置１０ａ、１０ｂからの多重化されたデータをトランスポートチャネル受信部２１で受信する。受信されたデータは、さらに回線交換あるいはパケット交換を実行する不図示の上位の交換システムに転送され、交換される。一方、流量処理部１３から送られる情報は、リソース管理部２２で受け取られる。リソース管理部２２は、無線ネットワーク制御装置２０の管理下にある基地局装置１０ａに属する無線端末装置１５ａ、１５ｂ、…、１５ｎの上り（送信）データについてリソースを管理する。なお、基地局装置１０ｂに属する無線端末装置についても同様であり、以下の説明を省略する。
【００１９】
リソース管理部２２において、管理下にある所定の無線端末装置（例えば１５ａ）のリソースを制御する必要が生じた場合には、リソース管理部２２は、流量処理部１３に対して無線端末装置１５ａのリソースを制御するように伝える。流量処理部１３は、無線送受信部１１を介して無線端末装置１５ａにリソースの制御を伝える。無線端末装置１５ａは、伝えられた情報を元に流量制御部１４ａを動作させ、無線端末装置１５ａの送信データに関するリソースの制御を実行する。
【００２０】
以上説明したように移動通信システムは構成され、複数の無線端末装置１５ａ、１５ｂ、…、１５ｎから送られるデータを多重化して帯域制限された回線を介して基地局装置１０ａから上位の装置、例えば無線ネットワーク制御装置２０に送出するに際し、回線に対して所定の帯域を超えるデータが送られる場合には基地局装置１０ａに接続されている所定の無線端末装置（例えば１５ａ）に対するリソースを変更するように動作する。すなわち、上位の装置である無線ネットワーク制御装置２０は、管理下にある全ての無線端末装置のリソースを一元的に管理するので、効率の良いリソース管理が行なわれる。
【実施例】
【００２１】
次に、具体的な実施例について説明する。図２は、本発明の実施例に係るリソース管理方法における動作フローを表す図である。ステップＳ０でスタートすると、ステップＳ１では、無線ネットワーク制御装置２０の管理下にある基地局装置１０ａに属する無線端末装置１５ａ、１５ｂ、…、１５ｎの初期のリソースを設定する。設定されたリソースの情報は、リソース管理部２２に蓄えられると共に、無線端末装置１５ａ、１５ｂ、…、１５ｎに送られる。設定されたリソースに基づき、各無線端末装置は、送信データを送信する。
【００２２】
ステップＳ２では、基地局装置１０ａは、トランスポートチャネル組立部１２においてセル化され多重化されたデータの総流量が閾値１を超えるか否かを流量処理部１３において判断する。超えない場合には、ステップＳ２を繰り返す。総流量が閾値１を超えた場合には、ステップＳ３に進む。
【００２３】
ステップＳ３では、総流量が閾値１を超えた旨のイベントが流量処理部１３から無線ネットワーク制御装置（ＲＮＣ）２０のリソース管理部２２に報告される。この時、例えば各無線端末装置の送出しているデータ量を同時に伝えるようにしてもよい。
【００２４】
ステップＳ４では、リソース管理部２２は、所定の無線端末装置（例えば１５ａ）に対するリソースを変更する指示を流量処理部１３に伝える。
【００２５】
ステップＳ５では、流量処理部１３は、指定された無線端末装置１５ａが接続される無線送受信部１１を介して無線端末装置１５ａに流量を削減する指示を伝える。無線端末装置１５ａは、指示に従って流量制御部１４ａを動作させ、無線端末装置１５ａの送信データに関するリソースを削減する。
【００２６】
ステップＳ６では、基地局装置１０ａは、トランスポートチャネル組立部１２においてセル化され多重化されたデータの総流量が閾値２（閾値２＜閾値１）を下回るか否かを流量処理部１３において判断する。下回らない場合には、ステップＳ６を繰り返す。総流量が閾値２を下回った場合には、ステップＳ７に進む。
【００２７】
ステップＳ７では、総流量が閾値２を下回った旨のイベントが流量処理部１３から無線ネットワーク制御装置（ＲＮＣ）２０のリソース管理部２２に報告される。
【００２８】
ステップＳ８では、リソース管理部２２は、所定の無線端末装置（例えば１５ａ）に対するリソースを変更する指示を流量処理部１３に伝える。
【００２９】
ステップＳ９では、流量処理部１３は、無線送受信部１１を介して無線端末装置１５ａに流量を増加する指示を伝える。無線端末装置１５ａは、指示に従って流量制御部１４ａを動作させ、無線端末装置１５ａの送信データに関するリソースを増加する。次に再びステップＳ２に進む。
【００３０】
以上説明したようなリソース管理方法が実行されるので、基地局装置１０ａから無線ネットワーク制御装置（ＲＮＣ）２０に対して送出されるトランスポートチャネルの総流量が閾値１および閾値２に基づいて制御されることとなる。したがって、総流量は、回線帯域限界以下に制限されると共に、減少されたリソースは、再び適宜回復することとなる。
【００３１】
この様子を図３に示す。図３は、トランスポートチャネルの総流量の変動の例を示す図である。図３において、ＡＴＭセル流量の回線帯域限界（この限界を超えるとセルの廃棄あるいは多大な遅延が生じる）を下回る流量の値に帯域限界閾値１を設け、さらに帯域限界閾値１を下回る流量の値に帯域限界閾値２を設けてある。
【００３２】
無線端末装置からの総流量が増加して行き、帯域限界閾値１を超えると、イベント報告１を発生する（ステップＳ３に対応）。イベント報告１により、無線端末装置に対してリソースの変更指示がなされ（ステップＳ４に対応）、流量が削減され（ステップＳ５に対応）、総流量が減少に転ずる。その後、総流量が減少し、帯域限界閾値２を下回ると、イベント報告２を発生する（ステップＳ７に対応）。イベント報告２により、無線端末装置のリソースの変更指示がなされ（ステップＳ８に対応）、流量が増加する（ステップＳ９に対応）。
【００３３】
以上で示したトランスポートチャネルの総流量の変動の例を更に詳しく説明する。図４は、トランスポートチャネルの総流量の変動の詳細例（１）を示す図である。図４では、ＡＴＭセル流量の回線帯域限界に対して帯域限界閾値１および帯域限界閾値２を設けなかった場合の例を示している。ここでは、無線端末装置として、端末Ａ、Ｂ、Ｃ、Ｄ、Ｅがデータを送信しているものとする。これら端末の送信データの総流量が増加して行き、ＡＴＭセル流量の回線帯域限界を超えると、帯域オーバフローとなり、例えば端末Ｅから送信されるデータにセル廃棄が生じることとなる。
【００３４】
これに対し、ＡＴＭセル流量の回線帯域限界に対して帯域限界閾値１および帯域限界閾値２を設けた場合の例を示す。図５は、トランスポートチャネルの総流量の変動の詳細例（２）を示す図である。図５では、送信データの総流量が増加して行き、帯域限界閾値１に達すると、イベント報告１がなされる。イベント報告１により、端末のリソースの変更が指示されるが、ここでは端末Ｄの流量を削減するように指示がされるものとする。この時、どの端末の流量を削減するかは、任意であり、複数の端末の流量を削減してもよい。一般的には、イベント報告１の発生時点で最も流量の多い（リソースを消費している）端末、この例では端末Ｄに対して、流量を削減するように指示するのが効率的である。
【００３５】
イベント報告１の結果に従って、端末Ｄの流量が削減され、総流量が減少してＡＴＭセル流量が回線帯域限界に達することが無くなる。その後、総流量がさらに減少し、帯域限界閾値２を下回ると、イベント報告２がなされる。イベント報告２により、端末のリソースの変更が指示されるが、ここでは先に流量を削減された端末Ｄの流量を増加するように指示がされるものとする。この結果、端末Ｄは、流量の制限のない元の状態に戻ることとなる。このように総流量に対して帯域限界閾値を設け、この閾値に基づき端末のリソースを制御することで総流量を回線帯域限界以下に制限することができる。
【００３６】
なお、以上で説明した動作は、基本的なものであって種々の変形が考えられる。例えば、イベント報告１がなされた後に、総流量が帯域限界値１を下回ったものの、その後、総流量が再度増加し、帯域限界値１を超えた場合には、新たなイベント報告を発生させて新たな端末のリソースを減少させる等の制御を行なうことも可能である。
【００３７】
次に、基地局装置１０ａと無線ネットワーク制御装置２０との間で端末のリソースの管理に関する情報のやり取りについて説明する。図６は、基地局装置と無線ネットワーク制御装置との間の情報の送受シーケンスおよび総流量の変動の例（１）を示す図である。ステップＳ２１において、無線ネットワーク制御装置２０から基地局装置１０ａに対して端末Ａのリソース設定がなされる。これに対し、ステップＳ２２において、基地局装置１０ａは、無線ネットワーク制御装置２０にＯＫを返す。同時に、端末Ａからの送信データの発生を許可し、端末Ａに関するＡＴＭセル流量が生じる。
【００３８】
また、ステップＳ２３において、無線ネットワーク制御装置２０から基地局装置１０ａに対して端末Ｂのリソース設定がなされる。これに対し、ステップＳ２４において、基地局装置１０ａは、無線ネットワーク制御装置２０にＯＫを返す。同時に、端末Ｂからの送信データの発生を許可し、端末Ｂに関するＡＴＭセル流量が生じ、先程の端末ＡのＡＴＭセル流量に追加される。
【００３９】
さらに、ステップＳ２５において、無線ネットワーク制御装置２０から基地局装置１０ａに対して端末Ｃのリソース設定がなされる。これに対し、ステップＳ２６において、基地局装置１０ａは、無線ネットワーク制御装置２０にＯＫを返す。同時に、端末Ｃからの送信データの発生を許可し、端末Ｃに関するＡＴＭセル流量が生じ、先程の端末Ａおよび端末ＢのＡＴＭセル流量に追加される。
【００４０】
このまま、端末Ａ、ＢおよびＣのＡＴＭセル流量の総量が増加し、回線帯域限界値を超えると、セル損失などが生じてしまう。そこで、帯域限界閾値を設け、この閾値に基づき端末のリソースを制御する。この様子を図７に示す。図７は、基地局装置と無線ネットワーク制御装置との間の情報の送受シーケンスおよび総流量の変動の例（２）を示す図である。端末Ａ、ＢおよびＣのＡＴＭセル流量の総量が増加し、帯域限界閾値１を超えると、ステップＳ２７において、超えた旨のイベント報告１が、基地局装置１０ａから無線ネットワーク制御装置２０に対してなされる。ステップＳ２８において、無線ネットワーク制御装置２０は、端末Ｃ（無線端末装置１５ａ）のリソース変更を基地局装置１０ａに伝える。ステップＳ２９において、基地局装置１０ａは、端末Ｃ（無線端末装置１５ａ）のリソース変更を指示する。リソース変更の指示により、端末Ｃ（無線端末装置１５ａ）は、発生するデータ量を制限する。これにより端末Ｃ（無線端末装置１５ａ）に関するＡＴＭセル流量が減少し、ＡＴＭセル流量の総量が帯域限界閾値１を下回るようになる。従って、回線帯域限界値を超えることを防ぐことができる。
【００４１】
その後、端末Ａ、ＢおよびＣのＡＴＭセル流量の総量が減少し、帯域限界閾値２を下回ると、ステップＳ３０において、下回った旨のイベント報告２が、基地局装置１０ａから無線ネットワーク制御装置２０に対してなされる。ステップＳ３１において、無線ネットワーク制御装置２０は、端末Ｃ（無線端末装置１５ａ）のリソース変更を基地局装置１０ａに伝える。ステップＳ３２において、基地局装置１０ａは、端末Ｃ（無線端末装置１５ａ）のリソース変更を指示する。リソース変更の指示により、端末Ｃ（無線端末装置１５ａ）は、発生するデータ量の制限が解除され、端末Ｃ（無線端末装置１５ａ）のＡＴＭセル流量が増加する。この結果、端末Ｃは、流量の制限のない元の状態に戻ることとなる。
【図面の簡単な説明】
【００４２】
【図１】本発明の実施形態に係る移動通信システムを示すブロック図である。
【図２】本発明の実施例に係るリソース管理方法における動作フローを表す図である。
【図３】トランスポートチャネルの総流量の変動の例を示す図である。
【図４】トランスポートチャネルの総流量の変動の詳細例（１）を示す図である。
【図５】トランスポートチャネルの総流量の変動の詳細例（２）を示す図である。
【図６】基地局装置と無線ネットワーク制御装置との間の情報の送受シーケンスおよび総流量の変動の例（１）を示す図である。
【図７】基地局装置と無線ネットワーク制御装置との間の情報の送受シーケンスおよび総流量の変動の例（２）を示す図である。
【符号の説明】
【００４３】
１０ａ、１０ｂ  基地局装置
１１  無線送受信部
１２  トランスポートチャネル組立部
１３  流量処理部
１４ａ  流量制御部
１５ａ、１５ｂ、…、１５ｎ  無線端末装置
２０  無線ネットワーク制御装置
２１  トランスポートチャネル受信部
２２  リソース管理部
【図１】
2005039650.tif 000003
【図２】
2005039650.tif 000004
【図３】
2005039650.tif 000005
【図４】
2005039650.tif 000006
【図５】
2005039650.tif 000007
【図６】
2005039650.tif 000008
【図７】
2005039650.tif 000009